(57)【要約】【課題】通信環境が悪い場合でも、指定した領域の必要な地図情報を適宜正確に入手できる、優れた地図表示端末装置及びその地図表示端末装置を用いた地図配信システムを提供する。【解決手段】必要な地図の枚数（Ｓ２０２）を、通信環境に応じて（Ｓ２０３）予め定めた枚数毎に分割して（Ｓ２０５）、何回かで供給を受けるようにする。このことによって、通信環境が悪い場合には１回当たりに受信する地図枚数が少なくなり、通信環境が悪い場合でも、各回の地図を比較的正確に受信し、表示することができるようになる。【選択図】　図２
2004061704.tif 000002
【特許請求の範囲】
【請求項１】
必要な地図の領域を指定する領域指定手段と、前記領域指定手段によって指定された領域から必要な地図の枚数を算出する地図枚数算出手段と、通信環境を検出する通信環境検出手段と、前記地図枚数算出手段によって算出された地図枚数を前記通信環境検出手段によって検出された通信環境に応じて定めた地図枚数毎にセンタに前記定めた地図枚数の地図の送信を要求する要求手段と、前記要求手段による要求に応えて前記センタより送信される地図を受信する受信手段と、前記受信手段によって受信された地図を記憶する記憶手段と、前記記憶手段に記憶された地図を表示する表示手段とを備えた地図表示端末装置。
【請求項２】
地図を入手するために待つことのできる最大時間を設定する最大時間設定手段を備え、前記要求手段が、前記定めた地図枚数を、前記地図枚数算出手段によって算出された地図枚数と、前記通信環境検出手段によって検出された通信環境と、前記最大時間設定手段によって設定された最大時間とを基に決定するように構成されていることを特徴とする請求項１記載の地図表示端末装置。
【請求項３】
前記通信環境検出手段が前記センタとの通信における電界強度を検出する手段であることを特徴とする請求項１又は２記載の地図表示端末装置。
【請求項４】
前記通信環境検出手段が地図表示端末装置の移動速度を検出する手段であることを特徴とする請求項１又は２記載の地図表示端末装置。
【請求項５】
前記通信環境検出手段が前記センタとの通信における電界強度を検出する手段および地図表示端末装置の移動速度を検出する手段の両方であることを特徴とする請求項１又は２記載の地図表示端末装置。
【請求項６】
前記要求手段によって要求した地図が前記受信手段によって受信されたとき、前記地図の平均伝達時間を算出する算出手段と、前記算出手段によって算出された平均伝達時間を基に前記予め定めた枚数を求めるための平均伝達時間テーブルを更新する手段とを更に備えた請求項１乃至５のいずれかに記載の地図表示端末装置。
【請求項７】
請求項１乃至６のいずれかに記載の地図表示端末装置と、前記地図表示端末装置からの要求に応じて必要な地図を検索し前記地図表示端末装置に送信するセンタとを備えた地図配信システム。
【請求項８】
地図表示端末装置と、前記地図表示端末装置と通信可能なセンタとで構成され、前記地図表示端末装置は、必要な地図の領域のほかに、前記センタとの通信環境を前記センタに送信する送信手段を有し、前記センタは、前記必要な領域の地図を前記通信環境に応じて予め定めた枚数毎に分割して前記地図表示端末装置に送信する手段を有することを特徴とする地図配信システム。
【請求項９】
前記通信環境は、前記センタとの通信における電界強度、前記地図表示端末装置の移動速度のいずれかを含むことを特徴とする請求項８記載の地図配信システム。
【発明の詳細な説明】
【０００１】
【発明の属する技術分野】
本発明は、通信回線を介して、必要な地図をセンタより取得する地図表示端末装置及びその地図表示端末装置を用いた地図配信システムに関する。
【０００２】
【従来の技術】
近年、パソコンは勿論のこと、携帯電話機、ナビゲーション装置などでも、センタよりそれぞれ必要な地図をデータとして電子的に入手できるように成っている。
【０００３】
ところで、この種のものでは、必要な地図情報をセンタに要求すると、その地図情報がセンタより送信されてくるが、必要な地図情報の領域が広い場合には、その地図情報の伝達に相当の時間を要し、特に、通信環境が悪い場合には、途中で回線が切断されて送信されてこなかったり、送信されてきても再送が何度も繰り返されて、なかなか全体が送信されてこなかったりして、入手した地図情報を表示し活用できるようになるまでには、更に多くの時間を必要とするという問題があった。
【０００４】
一方、このような問題を解決する１つの方法として、特開２００２−７７１１２号公報に記載されているように、通信環境が良い場合は、通常のデータを送信し、悪い場合は、データ量が少なくなるように形式を変換して送信するものが知られている。
【０００５】
【発明が解決しようとする課題】
しかしながら、特開２００２−７７１１２号公報に記載されているものは、通信環境を測定し、その結果に基づいて受信するデータの形式を複数の形式の中から１つを選択するように構成され、端末側において、この１つを選択すれば、その選択結果がセンタに送信され、センタにおいて、端末側から要求したデータをその選択された１つの形式に変換し端末側に送信してくるというものであり、地図を例にとれば、指定した領域が広い場合には、その領域の地図情報を適宜圧縮して送信したり、縮尺の大きい地図に変換して送信したりするものであり、必要な詳細情報を得るためには、いちいち領域をより小さいものに指定しなおす必要があるという問題があった。
【０００６】
本発明は、以上のような従来の問題に対処してなされたものであり、通信環境が悪い場合でも、指定した領域の必要な地図情報を適宜正確に入手できる、優れた地図表示端末装置及びその地図表示端末装置を用いた地図配信システムを提供するものである。
【０００７】
【課題を解決するための手段】
本発明の地図表示端末装置は、必要な地図の領域を指定する領域指定手段と、領域指定手段によって指定された領域から必要な地図の枚数を算出する地図枚数算出手段と、通信環境を検出する通信環境検出手段と、地図枚数算出手段によって算出された地図枚数を通信環境検出手段によって検出された通信環境に応じて定めた地図枚数毎にセンタに定めた地図枚数の地図の送信を要求する要求手段と、この要求手段による要求に応えてセンタより送信された地図を受信する受信手段と、受信手段によって受信された地図を記憶する記憶手段と、記憶手段に記憶された地図を表示する表示手段とを備えた構成とした。
【０００８】
この構成により、必要な地図枚数が通信環境に応じて予め定めた地図枚数毎に分割され、その状態で順次送信されることになり、したがって、通信環境が悪い場合でも、１回ごとの送信に要する時間がそれほど大きくならず、そのため１回の通信が途中で切断されたり、再送が何度も繰り返されたりするのを少なくすることができ、結果として、必要な地図情報を早く正確に入手できるという作用を有する。
【０００９】
また、本発明の地図表示端末装置は、地図を入手するために待つことのできる最大時間を設定する最大時間設定手段を備え、要求手段が、定めた地図枚数を、地図枚数算出手段によって算出された地図枚数と、通信環境検出手段によって検出された通信環境と、最大時間設定手段によって設定された最大時間とを基に決定する構成とした。
【００１０】
この構成により、利用者が地図をダウンロードするのに待つことができる最大時間を任意に設定することができ、この設定された最大時間内で、少なくとも１回分の地図情報を入手可能であるという作用を有する。
【００１１】
また、本発明の地図表示端末装置は、通信環境検出手段がセンタとの通信における電界強度を検出する電界強度検出手段である構成とした。この構成により、センタとの通信における電界強度が小さいとき、自動的に１回で送信される地図枚数が少なくなり、電界強度が小さいにも関わらず、必要な地図情報を何度かに分けて順次正確に入手することができるようになる。
【００１２】
また、本発明の地図表示端末装置は、通信環境検出手段が地図表示端末装置の移動速度を検出する移動速度検出手段である構成とした。この構成により、地図表示端末装置の移動速度が速くなリ、通信環境が悪くなった場合でも、必要な地図情報を予め定めた枚数毎に分割して順次受信することが出来、正確に全ての必要な地図情報を得ることが出来るようになる。
【００１３】
また、本発明の地図表示端末装置は、通信環境検出手段がセンタとの通信における電界強度を検出する電界強度検出手段および地図表示端末装置の移動速度を検出する移動速度検出手段の両方である構成とした。
【００１４】
この構成により、地図表示端末装置が静止している状態のみならず、移動している場合でも、電界強度が小さくなったとき、それに応じて１回に送信される地図情報の枚数が適宜予め定めた枚数のどれに適応するか設定され、したがって、この場合も、必要な地図情報を順次正確に入手することができる。
【００１５】
また、本発明の地図表示端末装置は、要求手段によって要求した地図が受信手段によって受信されたとき、その地図の平均伝達時間を算出する算出手段と、この算出手段によって算出された平均伝達時間を基に、予め定めた枚数を求めるための平均伝達時間テーブルを更新する更新手段とを更に備えた構成とした。
【００１６】
この構成により、要求手段によって要求した地図が受信手段によって受信される毎に、その地図の平均伝達時間によって、予め定めた枚数を求めるための平均伝達時間テーブルが自動的に更新されることになり、結果として、平均伝達時間テーブルを過去の実績を反映したものにすることができ、より正確な受信が可能になる。
【００１７】
また、本発明の地図配信システムは、地図表示端末装置と、地図表示端末装置と通信可能なセンタとで構成され、地図表示端末装置は、必要な地図の領域に加え、センタとの通信環境をセンタに送信する送信手段を有し、センタは、必要な領域の地図を通信環境に応じて予め定めた枚数毎に分割して地図表示端末装置に送信する手段を有する構成とした。
【００１８】
この構成により、必要な領域の地図を通信環境に応じて予め定めた枚数毎に分割して順次得ることができ、１回毎に得られる地図の情報量が少なくなり、それぞれ地図を正確に入手することが出来るという作用を有する。
【００１９】
【発明の実施の形態】
以下、本発明の実施の形態について、図面を用いて詳細に説明する。
【００２０】
（第１の実施の形態）
図１は、本発明の第１の実施の形態における地図表示端末装置及びそれを用いた地図配信システムの構成を示すブロック図、図２は同装置及び同システムの動作を説明するフロー図、図３は、同装置及び同システムにおいて使用する平均伝達時間テーブルの一例を示す図である。
【００２１】
本実施の形態における地図配信システムは、図１に示すように、地図表示端末装置１と、この地図表示端末装置１と通信可能なセンタ装置２より構成されている。
【００２２】
地図表示端末装置１は、キーボードやマウスなどで構成されて各種指令や情報を入力するキー入力部１１と、センタ装置２より受信された地図及びその地図の平均伝達時間テーブルなどを記憶する記憶部１２と、キー入力部１１より入力された各種指令や情報、更には、記憶部１２に記憶された地図、その他の情報をそれぞれ表示する表示部１３と、センタ装置２に必要な指令、情報を送信し、必要な地図情報を受信する通信部１４と、これらを制御し、必要な演算、処理などをそれぞれ実行する制御部１５を備え、センタ装置２は、地図表示端末装置１からの各種指令、情報を受信し、地図表示端末装置１に必要な地図を送信する通信部２１と、通信部２１からの指令、情報を受けて必要な地図を検索し、通信部２１に伝送する制御部２２と、制御部２２によって制御される地図データベース２３とを備えている。
【００２３】
なお、地図データベース２３には、予め定めた大きな領域の全ての地図（例えば、全国の地図）が格納されているが、その大きな領域の地図は、予め定めたより小さい領域（例えば、２００メートル四方の領域）の地図に分割されており、その分割された地図がそれぞれ１枚の地図として読み出し可能なように格納されている。
【００２４】
次に、本実施の形態について、その動作を説明する。
【００２５】
地図表示端末装置１において、キー入力部１１を用いて必要な地図の領域を入力すると（ステップ２０１）、この領域が制御部１５に伝達され、制御部１５がこの領域を基に必要な地図の枚数（Ｍ０）を算出する（ステップ２０２）。
【００２６】
必要な地図の領域は、対角線上の２つの地点の緯度、経度を直接キー入力部１１で入力し指定することも可能であるが、例えば、キー入力部１１で地名を入力することにより、その地名を含む予め定めた一定距離四方の領域、あるいは、その地名を含む行政区画の領域が自動的に指定されるようにすることも可能である。
【００２７】
そして、記憶部１２に予め縮尺の大きい広域の地図を有する場合には、この広域の地図を予め表示部１３で表示し、表示された広域の地図上で任意の位置を指定することにより、その指定された位置を含む予め定めた一定距離四方の領域が自動的に指定されるようにすることも可能である。
【００２８】
このようにして、キー入力部１１を用いて必要な地図の領域を入力すると（ステップ２０１）、その指定された領域を全て網羅するためには、先に述べた小さな領域の地図が何枚必要か、その地図枚数（Ｍ０）が制御部１５で算出される（ステップ２０２）。
【００２９】
すなわち、キー入力部１１で指定した必要な地図の領域が仮に１キロメートル四方であって、１枚の地図が先に説明したように２００メートル四方のものであったとすると、キー入力部１１で指定した地図の領域を完全に網羅するためには、指定した領域と１枚の地図の境界線が互いに一致した状態で２５枚、少しでもずれた場合には、最大３６枚必要であり、先ず、このような地図の必要枚数（Ｍ０）が算出される。
【００３０】
そして、次に、通信部１４がセンタ装置２との通信における電界強度を測定すると（ステップ２０３）、その電界強度が制御部１５に伝達され、制御部１５が記憶部１２に記憶された図３に示すような過去の伝送実績に基づく平均伝達時間テーブルを用いて、その電界強度に対応する地図１枚の平均伝達時間（Ｔ０）を求める（ステップ２０４）。
【００３１】
平均伝達時間（Ｔ０）が求められると、この平均伝達時間（Ｔ０）を基に、１回の送信において何枚の地図を送信可能であるかという地図枚数（Ｍ１）と指定された領域の地図を全て送信するのに何回送信しなければならないかという送信回数（Ｎ）がそれぞれ算出される（ステップ２０５）。
【００３２】
例えば、先に説明したように、１枚の地図が２００メートル四方で、キー入力部１１で指定した地図の領域が１キロメートル四方、しかも、この指定した領域の境界線が先に説明したように１枚毎の地図の境界線と合致しなかった場合を考えると、指定した領域の地図を全て網羅するためには、先に説明したように、合計３６枚の地図を必要とする。
【００３３】
この状態において、今、通信部１４で測定した電界強度がたとえば１３μＶ／ｍであったとすると、制御部１５では、先ず、図３に示す平均伝達時間テーブルを用いて、２．５秒という平均伝達時間（Ｔ０）を引き出す。そして、利用者が予めキー入力部１１を用いて入力し、記憶部１２に記憶しておいた１回当たりの地図入手において最大待てる時間（Ｔ１）が３０秒であったとすると、次式の通り、１回当たりの送信で何枚地図を送信できるかという１回当たりの地図送信枚数（Ｍ１）は１６枚、指定された領域の地図を全て送信するのに何回送信しなければならないかという送信回数（Ｎ）は３回と、それぞれ制御部１５で算出される。
【００３４】
Ｍ１　＝　Ｔ１（＝３０秒）／Ｔ０（＝２．５秒）＝１６枚
Ｎ　　＝　Ｍ０（＝３６枚）／Ｍ１（＝１６枚）→３回
このようにして、１回当たりの地図送信枚数（Ｍ１）、送信回数（Ｎ）が算出されると、この地図送信枚数（Ｍ１）、送信回数（Ｎ）にしたがって制御部１５が通信部１４を介してセンタ装置２にそれぞれの地図を送信するように要求する（ステップ２０６）。
【００３５】
すなわち、地図表示端末装置１は、センタ装置２との通信回線を確保した後、その状態で先ず第１回目の地図の送信を要求する（ステップ２０６）。センタ装置２は、その要求を通信部２１によって受信し（ステップ２０７）、制御部２２に伝達する。制御部２２は、伝達された要求に基づいて地図データベース２３を検索し（ステップ２０８）、要求された地図を引き出し、通信部２１を介して地図表示端末装置１側に送信する（ステップ２０９）。
【００３６】
地図表示端末装置１は、センタ装置２からの地図を通信部１４で受信し（ステップ２１０）、制御部１５の制御の基で記憶部１２に記憶し、表示部１３で表示する（ステップ２１１）。そして、受信された地図が記憶部１２に記憶され、表示部１３に表示されると、引続いて、第２回目の地図の送信を要求し（ステップ２０６）、第２回目の地図を入手する（ステップ２１０）。
【００３７】
すなわち、ステップ２０６〜２１１は、キー入力部１１によって先に指定した領域の全ての地図が入手できるまで、先に算出された回数（Ｎ）繰り返す（ステップ２１２）。
【００３８】
なお、このとき、地図表示端末装置１とセンタ装置２との通信回線は、必要な回数（Ｎ）繰り返されるまでそのまま捕捉した状態にしておくことも可能であるが、各回毎に回線を開放し、再度捕捉するようにしても良い。いずれの場合も、回線が途中で切断された場合には、再び、地図表示端末装置１において自動的に発信動作を行い、地図表示端末装置１がセンタ装置２との通信回線を確保したとき、切断された回の分からその地図をセンタ装置２に要求するように構成することが望ましい。
【００３９】
そして、電界強度が不安定で、回線が捕捉出来なかった場合でも、再び同じ発信動作を繰り返す機能を地図表示端末装置に設けておくことが望ましい。
【００４０】
このように、本実施の形態によれば、通信環境として電界強度を測定し、その電界強度を基に、地図の平均伝達時間を求め、その平均伝達時間を基に、キー入力部１１を用いて入力した地図の領域を全て網羅するために必要な地図の枚数を、１回あたり予め定めた時間内に入手するためには、何枚づつ何回に分けて入手すればよいかを算出するようにしており、したがって、電界強度が小さいところでは、１回当りの送信地図枚数が電界強度の大きいところより少なくなり、電界強度が小さい場合でも、それぞれの回で必要な地図を正確に得ることができる。
【００４１】
すなわち、本実施の形態によれば、電界強度に応じて地図の平均伝達時間を予め定めて平均伝達時間テーブルとして登録しておき、この平均伝達時間テーブルの平均伝達時間を基に、１回当たりの送信地図枚数を算出するようにしており、予め定めた時間内に送信可能な地図枚数は、電界強度が小さくなればなるほど少なくなり、電界強度が小さい場合には、１回当たりの送信地図枚数が少なくなり、予め定めた時間内にほぼ間違いなく１回の送信を終了することが可能になる。
【００４２】
そのため、電界強度が不安定な場合でも、一旦、回線が捕捉され通信が可能になれば、先に述べた予め定めた時間内に充分な通信が可能であり、とりあえず、その時間内にそれぞれ各回の必要な地図を入手することが可能になる。そして、各回の地図がそれぞれ送信されると、その各回の地図を受信した段階で、それぞれその各回の地図を記憶部１２に記憶し、表示部１３に表示するようにしている。
【００４３】
したがって、従来のように、指定した領域の地図が全て入手できるまで何もしないで待たなければならないというようなことが全くないという利点を有する。
【００４４】
（第２の実施の形態）
図４は、本発明の第２の実施の形態における地図表示端末装置及びそれを用いた地図配信システムの構成を示すブロック図、図５は同装置及び同システムの動作を説明するフロー図、図６は、同装置及び同システムにおいて使用する平均伝達時間テーブルの一例を示す図である。
【００４５】
図４〜図６において、図１〜図３と同一符号を付したものは、図１〜図３に示すものと同一のものを示しており、ここでは、その詳細な説明を省略し、異なる点のみ詳細に説明する。
【００４６】
本実施の形態では、図４に示すように、地図表示端末装置１に地図表示端末装置１の移動速度を検出する移動速度検出部４１を備えており、記憶部１２には、図６に示すような、地図表示端末装置１の移動速度と平均伝達時間との関係を予め設定した平均伝達時間テーブルが登録されている。
【００４７】
そして、キー入力部１１を用いて必要な地図の領域を指定し（ステップ２０１）、必要な地図の枚数を算出（ステップ２０２）した後、この必要な地図の枚数を全て入手するためには、何枚づつ、何回で送信してもらえば良いかを決定する（ステップ２０５）のに、図５に示すように、地図表示端末装置の移動速度を検出し（ステップ５０３）、この移動速度に基づいて平均伝達時間（Ｔ０）を求め（ステップ５０４）、この平均伝達時間（Ｔ０）を基に算出するようにしている。
【００４８】
すなわち、本実施の形態では、地図表示端末装置１が車両などに搭載され、高速で移動した場合でも、必要な地図を何枚づつかに分け、何回かで正確に入手することができる。一般に、この種の地図表示端末装置は、高速で移動すると、通信環境が著しく不安定になるが、本実施の形態によれば、図６に示すように、移動速度が速くなれば早くなるほど平均伝達時間が大きくなるように平均伝達時間テーブルが設定されており、したがって、移動速度が速くなれば、１回で送信される地図の枚数が少なくなり、その回の地図を正確に得ることができるようになる。
【００４９】
なお、本実施の形態において、移動速度検出部４１は、ＧＰＳ衛星からの電波を受けて位置を測位するＧＰＳ測位装置で構成しても良いが、車両に搭載する場合には、車両の速度メータをそのまま兼用しても良い。
【００５０】
（第３の実施の形態）
図７は、本発明の第３の実施の形態における地図表示端末装置及びそれを用いた地図配信システムの動作を説明するフロー図、図８は、同装置及び同システムにおいて使用する平均伝達時間テーブルの一例を示す図である。
【００５１】
図７において、図２、図５と同一符号を付したものは、図２、図５と同一のステップを示しており、ここでは、その詳細な説明を省略し、異なる点のみ詳細に説明する。
【００５２】
本実施の形態では、第２の実施の形態と同様、地図表示端末装置１に移動速度を検出する移動速度検出部を備えている。記憶部には、第１、第２の実施の形態と異なり、図８に示すような、電界強度、移動速度と平均伝達時間との関係を予め設定した平均伝達時間テーブルが登録されている。
【００５３】
本実施の形態では、キー入力部１１を用いて必要な地図の領域を指定し（ステップ２０１）、必要な地図の枚数を算出（ステップ２０２）した後、この必要な地図の枚数を全て入手するためには、何枚づつ、何回で送信してもらえば良いかを決定する（ステップ２０５）のに、図７に示すように、電界強度、及び、地図表示端末装置の移動速度の両方を測定し（ステップ７０３）、この電界強度、移動速度に基づいて平均伝達時間（Ｔ０）を求め（ステップ７０４）、この平均伝達時間（Ｔ０）を基に算出するようにしている。
【００５４】
したがって、本実施の形態によれば、電界強度が小さくて通信環境が悪化した場合も、高速で移動して通信環境が悪化した場合も、いずれも、通信環境に関係なく、予め定めた時間内に各回の地図を入手することができ、各回の地図を正確に得ることができる。
【００５５】
なお、本実施の形態でも、移動速度検出部は、ＧＰＳ衛星からの電波を受けて位置を測位するＧＰＳ測位装置で構成してもよく、また、車両に搭載する場合には、車両の速度メータをそのまま兼用してもよいことは言うまでもないことである。
【００５６】
（その他の実施の形態）
ところで、これまで説明した第１、第２、第３の実施の形態では、平均伝達時間テーブルをその一例としてそれぞれＦＯＭＡ（登録商標）仕様の地図サイズ５ＫＢの場合で作成しているが、通信モード（通信カード）が変わると、同じ電界強度でも、図９に示すように、平均伝達時間テーブルの平均伝達時間は、それぞれ大きく異ならせる必要があるため、それら通信モードを使用する地図表示端末装置においては、それぞれ図３、図６、図８に示す平均伝達時間テーブルを図９に示す平均伝達時間に応じてその平均伝達時間をそれぞれ変更する必要がある。
【００５７】
そして、デュアルモードの地図表示端末装置など、複数の通信モードを使用可能な地図表示端末装置では、これらの通信モードの平均伝達時間テーブルをそれぞれ記憶部に記憶しておき、それらをそれぞれ使用する通信モードに応じて自動的に切替えるように構成することが望ましい。
【００５８】
また、第１、第２、第３の実施の形態では、平均伝達時間テーブルの平均伝達時間を予め電界強度、移動速度、その両方に応じてそれぞれ固定的に設定しているが、図１０に示すように、実測値によって学習機能を持たせることも可能である。すなわち、第１、第２、第３の実施の形態において、地図表示端末装置１がセンタ装置２より各回の地図を受信し（ステップ２１０）、それを記憶手段１２に記憶したとき（ステップ２１１）、図１０に示すように、制御部１５がその回の地図を受信するのにどれだけの時間かかったかという、いわゆる、実際の平均伝達時間を算出する（ステップ１００１）ようにする。
【００５９】
そして、実際の平均伝達時間を用いて平均伝達時間テーブルの該当する平均伝達時間をそれぞれ更新する（ステップ１００２）ようにし、それを必要回数（Ｎ）繰り返すようにする（ステップ２１０）。このように構成すれば、平均伝達時間テーブルの平均伝達時間が実際の平均伝達時間で常時更新されることになり、より精度の高い平均伝達時間を得ることができる。
【００６０】
なお、平均伝達時間テーブルの平均伝達時間を更新する場合、実際の平均伝達時間をその時の電界強度、移動速度と共に測定し、平均伝達時間テーブルの該当する電界強度、移動速度の位置の平均伝達時間を実際の平均伝達時間に更新するようにする。そして、この場合、更に、ＧＰＳ測位装置など、いわゆる位置を測位する位置測位装置を有する場合には、その測位装置で位置を測位し、その位置と実際の平均伝達時間とをそれぞれ互いに関連付けて記憶し、再度その位置に来たときにはその位置の先に記憶された平均伝達時間を利用するように構成しても良い。
【００６１】
また、これまでの実施の形態では、地図表示端末装置１において、必要な地図の枚数を算出したり、地図の１回当たりの送信枚数（Ｍ）、送信回数（Ｎ）をそれぞれ共に求めるようにしたりしているが、これらを個別に、あるいは、纏めてセンタ装置２で行なわせるように構成してもよい。但し、この場合でも、電界強度は地図表示端末装置１で測定する必要があり、その電界強度の測定結果はそのままセンタ装置２に送信する必要がある。
【００６２】
また、これまでの実施の形態では、平均伝達時間を平均伝達時間テーブルから引き出すようにしているが、平均伝達時間は、図３、図６、図８に示すように、それぞれ電界強度、移動速度に関してある一定の相関性があるため、それを式によって算出するようにしても良い。この場合は、勿論、式を記憶部１２に記憶しておき、その式を用いて平均伝達時間を電界強度、移動速度などから算出することになる。
【００６３】
【発明の効果】
以上、説明したように、本発明によれば、必要な地図枚数が通信環境に応じて予め定めた地図枚数毎に分割され、その状態で順次送信されることになり、したがって、通信環境が悪い場合では、１回ごとの送信地図枚数を減らすので、その通信に要する時間は大きくならず、通信が途中で切断されたり、再送が何度も繰り返されたりしてなかなか地図が入手できないということを極力少なくすることができ、結果として、必要な地図を早期に正確に入手できるという効果を有する。
【図面の簡単な説明】
【図１】本発明の第１の実施の形態における地図表示端末装置及びそれを用いた地図配信システムの構成を示すブロック図
【図２】本発明の第１の実施の形態における地図表示端末装置及びそれを用いた地図配信システムの動作を示すフロー図
【図３】本発明の第１の実施の形態における地図表示端末装置及びそれを用いた地図配信システムの平均伝達時間テーブルの一例を示す図
【図４】本発明の第２の実施の形態における地図表示端末装置及びそれを用いた地図配信システムの構成を示すブロック図
【図５】本発明の第２の実施の形態における地図表示端末装置及びそれを用いた地図配信システムの動作を示すフロー図
【図６】本発明の第２の実施の形態における地図表示端末装置及びそれを用いた地図配信システムの平均伝達時間テーブルの一例を示す図
【図７】本発明の第３の実施の形態における地図表示端末装置及びそれを用いた地図配信システムの動作を示すフロー図
【図８】本発明の第３の実施の形態における地図表示端末装置及びそれを用いた地図配信システムの平均伝達時間テーブルの一例を示す図
【図９】本発明の他の実施の形態における地図表示端末装置及びそれを用いた地図配信システムの通信モードによる平均伝達時間の差を説明する図
【図１０】本発明の他の実施の形態における地図表示端末装置及びそれを用いた地図配信システムの動作を示す要部のフロー図
【符号の説明】
１　地図表示端末装置
２　センタ装置
１１　キー入力部
１２　記憶部
１３　表示部
１４　通信部
１５　制御部
２１　通信部
２２　制御部
２３　地図データベース
【図１】
2004061704.tif 000003
【図２】
2004061704.tif 000004
【図３】
2004061704.tif 000005
【図４】
2004061704.tif 000006
【図５】
2004061704.tif 000007
【図６】
2004061704.tif 000008
【図７】
2004061704.tif 000009
【図８】
2004061704.tif 000010
【図９】
2004061704.tif 000011
【図１０】
2004061704.tif 000012